(57)【要約】【課題】プログラマブル電力線フィルタを調整するための方法、装置、およびコンピュータ・プログラムを提供する。【解決手段】  プログラマブル電力線フィルタを調整する。この電力線フィルタは、フィルタの入力側でフィルタの入力端子に接続された活線、中性線、および接地線を含み、活線および中性線がフィルタにおけるインダクタを介してフィルタの出力側の出力端子に接続されている。フィルタは更に、活線と中性線との間に調整スイッチを介して選択的に接続されたＸキャパシタと、活線と接地との間または中性線と接地との間あるいはその両方に調整スイッチを介して選択的に接続されたＹキャパシタと、調整スイッチに接続され、１つ以上のプログラミング・スイッチを介して選択的に負荷に接続された調整制御回路と、を含み、調整制御回路によって負荷の入力インピーダンスを測定することと、調整制御回路によって負荷の入力インピーダンスに応じて調整スイッチをプログラムすることと、を含む。【選択図】図１
2013509067.tif 000002
【特許請求の範囲】
【請求項１】
プログラマブル電力線フィルタを調整する方法であって、
前記フィルタの入力側で前記フィルタの入力端子に接続された活線、中性線、および接地線であって、前記活線および前記中性線が前記フィルタにおけるインダクタを介して前記フィルタの出力側の出力端子に接続されている、前記活線、前記中性線、および前記接地線と、
前記入力端子と前記出力端子との間で前記活線に配置された少なくとも１つのインダクタと、前記入力端子と前記出力端子との間で前記中性線に配置された少なくとも１つのインダクタと、前記インダクタの入力側で前記活線と前記中性線との間に第１の調整スイッチを介して選択的に接続された複数のＸキャパシタと、前記インダクタの出力側で前記活線と前記中性線との間に第２の調整スイッチを介して選択的に接続された複数のＸキャパシタと、前記インダクタの前記出力側で前記活線と接地との間に第３の調整スイッチを介して選択的に接続された複数のＹキャパシタと、前記インダクタの前記出力側で前記活線と接地との間に第４の調整スイッチを介して選択的に接続された複数のＹキャパシタと、
前記調整スイッチに接続され、１つ以上のプログラミング・スイッチを介して選択的に負荷に接続された調整制御回路と、
を含み、前記方法が、
前記調整制御回路によって前記負荷の入力インピーダンスを測定するステップと、
前記調整制御回路によって前記負荷の前記入力インピーダンスに応じて前記調整スイッチをプログラムするステップと、
を含む、方法。
【請求項２】
前記調整スイッチのスイッチ構成に関連付けた負荷入力インピーダンス値を用いて前記調整制御回路を構成するステップを更に含む、請求項１に記載の方法。
【請求項３】
前記調整スイッチのスイッチ構成に関連付けた負荷入力インピーダンス値を用いて前記調整制御回路を構成するステップを更に含み、
前記調整スイッチをプログラムするステップが、
前記スイッチ構成に関連付けた負荷入力インピーダンス値および前記負荷の前記測定した入力インピーダンスに応じてスイッチ構成を選択するステップと、
前記選択したスイッチ構成に従って前記調整スイッチを設定するステップと、
を更に含む、請求項１に記載の方法。
【請求項４】
前記負荷の前記入力インピーダンスを測定するステップが、前記負荷を介して前記調整制御回路から駆動された調整パルスのサンプリングした電圧値から前記負荷の前記入力インピーダンスを導出するステップを更に含む、請求項１に記載の方法。
【請求項５】
前記負荷の前記入力インピーダンスを測定するステップが、
前記調整制御回路によって前記負荷を介して調整パルスを駆動するステップと、
前記調整制御回路によって前記負荷から出力された前記調整パルスの電圧値をサンプリングするステップと、
前記調整制御回路によって前記サンプリングした電圧値に応じて前記負荷の前記入力インピーダンスを導出するステップと、
を更に含む、請求項１に記載の方法。
【請求項６】
前記調整制御回路が、データ・バスを介してパルス発生器およびデジタル信号プロセッサ（「ＤＳＰ」）に動作可能に結合された調整プロセッサを更に含み、前記負荷の前記入力インピーダンスを測定するステップが、
前記調整プロセッサによって前記負荷の出力を前記ＤＳＰの入力に接続するステップと、
前記パルス発生器から前記負荷を介して調整パルスを駆動するステップと、
前記ＤＳＰによって前記負荷から出力された電圧値として前記調整パルスをサンプリングするステップと、
前記ＤＳＰによって前記サンプリングした電圧値に応じて前記負荷の前記入力インピーダンスを導出するステップと、
前記ＤＳＰによって前記負荷の前記入力インピーダンスを前記調整プロセッサに供給するステップと、
を更に含む、請求項１に記載の方法。
【請求項７】
前記調整制御回路が、データ・バスを介して不揮発性調整メモリに動作可能に結合された調整プロセッサを更に含み、
前記方法が、前記調整プロセッサによって前記負荷の前記測定した入力インピーダンスを前記不揮発性調整メモリに記憶するステップを更に含み、
前記調整スイッチをプログラムするステップが、前記電力線フィルタへの電力がオフおよびオンで循環された場合に前記負荷の前記入力インピーダンスを再測定することなく、前記調整プロセッサによって前記負荷の前記記憶した入力インピーダンスに応じて前記調整スイッチをプログラムするステップを更に含む、請求項１に記載の方法。
【請求項８】
プログラマブル電力線フィルタであって、
前記フィルタの入力側で前記フィルタの入力端子に接続された活線、中性線、および接地線であって、前記活線および前記中性線が前記フィルタにおけるインダクタを介して前記フィルタの出力側の出力端子に接続されている、前記活線、前記中性線、および前記接地線と、
前記入力端子と前記出力端子との間で前記活線に配置された少なくとも１つのインダクタと、前記入力端子と前記出力端子との間で前記中性線に配置された少なくとも１つのインダクタと、前記インダクタの入力側で前記活線と前記中性線との間に第１の調整スイッチを介して選択的に接続された複数のＸキャパシタと、前記インダクタの出力側で前記活線と前記中性線との間に第２の調整スイッチを介して選択的に接続された複数のＸキャパシタと、前記インダクタの前記出力側で前記活線と接地との間に第３の調整スイッチを介して選択的に接続された複数のＹキャパシタと、前記インダクタの前記出力側で前記活線と接地との間に第４の調整スイッチを介して選択的に接続された複数のＹキャパシタと、
前記調整スイッチに接続され、１つ以上のプログラミング・スイッチを介して選択的に負荷に接続された調整制御回路であって、前記負荷の入力インピーダンスを測定すると共に前記負荷の前記入力インピーダンスに応じて前記調整スイッチをプログラムすることによって前記フィルタを調整するように構成された、前記調整制御回路と、
を含む、フィルタ。
【請求項９】
前記調整スイッチのスイッチ構成に関連付けた負荷入力インピーダンス値を用いて構成された前記調整制御回路を更に含む、請求項８に記載のフィルタ。
【請求項１０】
前記調整制御回路が、前記調整スイッチのスイッチ構成に関連付けた負荷入力インピーダンス値を用いて構成され、前記調整スイッチをプログラムすることが、
前記スイッチ構成に関連付けた負荷入力インピーダンス値および前記負荷の前記測定した入力インピーダンスに応じてスイッチ構成を選択することと、
前記選択したスイッチ構成に従って前記調整スイッチを設定することと、
を更に含む、請求項８に記載のフィルタ。
【請求項１１】
前記負荷の前記入力インピーダンスを測定することが、前記負荷を介して前記調整制御回路から駆動された調整パルスのサンプリングした電圧値から前記負荷の前記入力インピーダンスを導出することを更に含む、請求項８に記載のフィルタ。
【請求項１２】
前記負荷の前記入力インピーダンスを測定することが、
前記調整制御回路によって前記負荷を介して調整パルスを駆動することと、
前記調整制御回路によって前記負荷から出力された前記調整パルスの電圧値をサンプリングすることと、
前記調整制御回路によって前記サンプリングした電圧値に応じて前記負荷の前記入力インピーダンスを導出することと、
を更に含む、請求項８に記載のフィルタ。
【請求項１３】
前記調整制御回路が、データ・バスを介してパルス発生器およびデジタル信号プロセッサ（「ＤＳＰ」）に動作可能に結合された調整プロセッサを更に含み、前記負荷の前記入力インピーダンスを測定することが、
前記調整プロセッサによって前記負荷の出力を前記ＤＳＰの入力に接続することと、
前記パルス発生器から前記負荷を介して調整パルスを駆動することと、
前記ＤＳＰによって前記負荷から出力された電圧値として前記調整パルスをサンプリングすることと、
前記ＤＳＰによって前記サンプリングした電圧値に応じて前記負荷の前記入力インピーダンスを導出することと、
前記ＤＳＰによって前記負荷の前記入力インピーダンスを前記調整プロセッサに供給することと、
を更に含む、請求項８に記載のフィルタ。
【請求項１４】
前記調整制御回路が、データ・バスを介して不揮発性調整メモリに動作可能に結合された調整プロセッサを更に含み、
前記調整制御回路が、前記調整プロセッサによって前記負荷の前記測定した入力インピーダンスを前記不揮発性調整メモリに記憶するように更に構成され、
前記調整スイッチをプログラムすることが、前記電力線フィルタへの電力がオフおよびオンで循環された場合に前記負荷の前記入力インピーダンスを再測定することなく、前記調整プロセッサによって前記負荷の前記記憶した入力インピーダンスに応じて前記調整スイッチをプログラムすることを更に含む、請求項８に記載のフィルタ。
【請求項１５】
プログラマブル電力線フィルタを調整するためのコンピュータ・プログラムであって、コンピュータ読み取り可能記憶媒体に配置され、実行された場合に請求項１から７のいずれかの全てのステップを実行することができるコンピュータ・プログラム命令を含む、コンピュータ・プログラム。
【発明の詳細な説明】
【技術分野】
【０００１】
本発明はデータ処理に関し、更に具体的には、プログラマブル電力線フィルタを調整するための方法、装置、および製品に関する。
【背景技術】
【０００２】
情報技術機器の市場性についての１つの課題は、多くの世界中の支配的な規制団体によって規定される安全および電磁的適合性の規制要件を満足させる難しさである。かかる要件の１つであり、電力供給において特に関心が高いのは、電磁干渉（ＥＭＩ：electromagnetic interference）プロファイルである。この理由で、電力供給設計はその最前部においてＥＭＩフィルタを組み込むことが多い。本明細書においてこれを電力線フィルタと称する。
【発明の概要】
【発明が解決しようとする課題】
【０００３】
電力線フィルタについて最も一般的な負荷はスイッチング電源である。スイッチング電源は、一般にサイズが小さく、軽量であり、高効率で動作する。これらの利点のため、スイッチング電源は電子デバイスにとって好適であることが多い。しかしながら、スイッチング電源の通常動作において、スイッチング・トランジスタ、整流ダイオード、変圧器、チョーク・コイル等から有害な高次の高調波ノイズが誘発され、スイッチング電源によって給電されるデバイスの動作との干渉または付近にある他のデバイスの動作との干渉が起こり得ることはよく知られている。かかるノイズは、電力線間（すなわち活線と中性線との間）を流れる差動モード・ノイズおよび電力線と接地線との間を流れる共通モード・ノイズの双方を含む。かかる電流ノイズは、フィルタリングされないと電源に直接つながれ、電源からの追加の高周波数電流ドレインに相当する。これらのノイズ電流によって、電源端子で測定し得る電源のソース・インピーダンスにおける電圧降下が生じる。
【０００４】
差動モード・ノイズおよび共通モード・ノイズの双方を減衰させるためには、電源と負荷との間に電力線フィルタを加える。しかしながら、時間が経つと、通常の摩耗のためおよび使用による負荷条件の変化のために、負荷インピーダンス値が変化することがあり、インピーダンス不整合がフィルタに反映され、フィルタの動作特性を変化させてフィルタ性能を低下させる。現在の電力線フィルタ設計トポロジでは、フィルタ伝達関数または共振あるいはその両方を設計後に調節するには、その回路コンポーネントの物理的な変更が必要である。
【課題を解決するための手段】
【０００５】
プログラマブル電力線フィルタを調整するための方法、装置、および製品を開示する。この電力線フィルタは、フィルタの入力側でフィルタの入力端子に接続された活線、中性線、および接地線を含み、活線および中性線はフィルタにおけるインダクタを介してフィルタの出力側の出力端子に接続されている。フィルタは更に、活線と中性線との間に調整スイッチを介して選択的に接続されたＸキャパシタと、活線と接地との間または中性線と接地との間あるいはその両方に調整スイッチを介して選択的に接続されたＹキャパシタと、調整スイッチに接続され、１つ以上のプログラミング・スイッチを介して選択的に負荷に接続された調整制御回路と、を含み、調整制御回路によって負荷の入力インピーダンスを測定することと、調整制御回路によって負荷の入力インピーダンスに応じて調整スイッチをプログラムすることと、を含む。
【０００６】
これより添付図面を参照して本発明の実施形態について一例としてのみ説明する。
【図面の簡単な説明】
【０００７】
【図１】本発明の実施形態に従った、調整可能である例示的なプログラマブル電力線フィルタの概略図を示す。
【図２】本発明の実施形態に従った、調整可能である例示的なプログラマブル電力線フィルタの概略図を示す。
【図３】本発明の実施形態に従った、プログラマブル電力線フィルタを調整する例示的な方法を示すフロー・チャートである。
【図４】本発明の実施形態に従った、プログラマブル電力線フィルタを調整する例示的な方法を示すフロー・チャートである。
【図５】本発明の実施形態に従った、プログラマブル電力線フィルタを調整する例示的な方法を示すフロー・チャートである。
【図６】本発明の実施形態に従った、プログラマブル電力線フィルタを調整する例示的な方法を示すフロー・チャートである。
【発明を実施するための形態】
【０００８】
図１から開始する添付図面を参照して、本発明に従ったプログラマブル電力線フィルタ、プログラマブル電力線フィルタを調整する方法、およびプログラマブル電力線フィルタを調整するためのコンピュータ・プログラムの例示的な実施形態について説明する。図１は、本発明の実施形態に従った、調整可能である例示的なプログラマブル電力線フィルタ（１００）の概略図を示す。負荷（１２６）を除いて、図１に示す全ての要素はフィルタ（１００）のコンポーネントである。
【０００９】
図１のフィルタ（１００）は、活線（１０２）、中性線（１０４）、および接地線（１０６）を含み、これらは全てフィルタの入力側（１０８）におけるフィルタの入力端子（ＩＴ１、ＩＴ２、ＩＴ３）に接続されている。活線（１０２）および中性線（１０４）は、フィルタのインダクタ（Ｌ１、Ｌ２、Ｌ３、Ｌ４）を介して、フィルタの出力側（１１０）における出力端子（ＯＴ１、ＯＴ２）に接続されている。
【００１０】
図１の例示的なフィルタ（１００）は、入力端子（ＩＴ１）と出力端子（ＯＴ１）との間で活線（１０２）に配置された２つのインダクタ（Ｌ１、Ｌ３）を含む。また、フィルタは、入力端子（ＩＴ２）と出力端子（ＯＴ２）との間で中性線（１０４）に配置された２つのインダクタ（Ｌ２、Ｌ４）も含む。インダクタ（Ｌ１、Ｌ２、Ｌ３、Ｌ４）はフィルタ・チョークである。Ｌ３およびＬ４は電流補償チョークであり、動作電流（５０または６０Ｈｚ）によって磁界が発生しないように巻かれているので、Ｌ３およびＬ４は共通モード・ノイズに対して作用し、フィルタを流れる動作電流全体に影響を与えない。Ｌ１およびＬ２は電流補償されていないので、差動モード・ノイズに対して作用する。
【００１１】
フィルタは４つのＸキャパシタを含む。これらを「Ｘキャパシタ」と呼ぶのは、活線（１０２）と中性線（１０４）との間で「横切るように」接続されているからであり、それらは差動モード・ノイズを抑制するように作用する。Ｘキャパシタのうち２つ（ＣＸ１、ＣＸ２）は、インダクタ（Ｌ１、Ｌ２、Ｌ３、Ｌ４）の入力側（１０８）で活線（１０２）と中性線（１０４）との間で第１の調整スイッチ（Ｓ１）を介して選択的に接続され、Ｘキャパシタのうち他の２つ（ＣＸ３、ＣＸ４）は、インダクタ（Ｌ１、Ｌ２、Ｌ３、Ｌ４）の出力側（１１０）で活線（１０２）と中性線（１０４）との間で第２の調整スイッチ（Ｓ２）を介して選択的に接続される。この例におけるスイッチ（Ｓ１、Ｓ２）の各々は、それぞれ（Ｔ１、Ｔ２）および（Ｔ３、Ｔ４）という２つのトランジスタから成り、１対のＸキャパシタの一方または双方のいずれかを接続するために選択可能な電子スイッチとして構成される。スイッチＳ１のトランジスタ（Ｔ１、Ｔ２）は、活線と中性線との間で横切るように、キャパシタＣＸ１のみ、キャパシタＣＸ２のみ、またはキャパシタＣＸ１およびＣＸ２の双方を接続することができる。スイッチＳ２のトランジスタ（Ｔ３、Ｔ４）は、活線と中性線との間で横切るように、キャパシタＣＸ３のみ、キャパシタＣＸ４のみ、またはキャパシタＣＸ３およびＣＸ４の双方を接続することができる。
【００１２】
また、フィルタは４つのライン・バイパスまたは「Ｙキャパシタ」を含み、これらは共通モード・ノイズを抑制する。Ｙキャパシタのうち２つ（ＣＹ１、ＣＹ２）は、インダクタ（Ｌ１、Ｌ２、Ｌ３、Ｌ４）の出力側（１１０）で活線（１０２）と接地（１４２）との間で第３の調整スイッチ（Ｓ３）を介して選択的に接続され、他の２つのＹキャパシタは、これらもインダクタ（Ｌ１、Ｌ２、Ｌ３、Ｌ４）の出力側（１１０）で中性線（１０４）と接地（１４２）との間で第４の調整スイッチ（Ｓ４）を介して選択的に接続される。この例におけるスイッチ（Ｓ３、Ｓ４）の各々は、それぞれ（Ｔ５、Ｔ６）および（Ｔ７、Ｔ８）という２つのトランジスタから成り、１対のＹキャパシタの一方または双方のいずれかを接続するために選択可能な電子スイッチとして構成される。スイッチＳ３のトランジスタ（Ｔ５、Ｔ６）は、活線（１０２）と接地（１４２）との間で、キャパシタＣＹ１のみ、キャパシタＣＹ２のみ、またはキャパシタＣＹ１およびＣＹ２の双方を接続することができる。スイッチＳ４のトランジスタ（Ｔ７、Ｔ８）は、中立線（１０４）と接地（１４２）との間で、キャパシタＣＹ３のみ、キャパシタＣＹ４のみ、またはキャパシタＣＹ３およびＣＹ４の双方を接続することができる。
【００１３】
図１の例示的なプログラマブル電力線フィルタ（１００）は調整制御回路（１１２）を含む。調整制御回路は、調整制御バス（１３４）を介して調整スイッチ（Ｓ１、Ｓ２、Ｓ３、Ｓ４）に接続され、１つ以上のプログラミング・スイッチ（Ｓ５、Ｓ６、Ｓ７）を介して負荷（１２６）に選択的に接続されている。調整制御回路（１１２）は、プログラマブル電力線フィルタを調整するプロセスの全体的な制御を実行するように構成された同期および非同期論理回路から成る。更に具体的には、調整制御回路（１２２）は、負荷（１２６）の入力インピーダンスＺｉを測定し、この負荷の入力インピーダンスに応じて調整スイッチ（Ｓ１、Ｓ２、Ｓ３、Ｓ４）をプログラムすることによってフィルタを調整するように構成されている。調整制御回路は、特定用途向け集積回路（「ＡＳＩＣ」）として、プログラマブル・アレイ論理（「ＰＡＬ」）として、フィールド・プログラマブル・ゲート・アレイ（「ＦＰＧＡ」）として、複合プログラマブル論理デバイス（「ＣＰＬＤ」）として、ハーバード・アーキテクチャに制御プログラムが記憶された埋め込み・マイクロコントローラとして、不揮発性コンピュータ・メモリ（「調整メモリ」）に制御プログラムが記憶されたマイクロプロセッサとして、および、当業者に想起されるような他の方法で、実施することができる。調整制御回路がＰＡＬ、ＡＳＩＣ、ＦＰＧＡ、ＣＰＬＤ等として実施される限り、その機能は、Ｖｅｒｉｌｏｇ等のハードウェア記述言語で、または超高速集積回路設計記述言語（「ＶＨＤＬ」）で規定することができる。このようなハードウェア記述言語での調整制御回路の規定は、機械言語、アセンブラ、または当業者に想起される他のプログラミング言語で書かれたマイクロコントローラまたはマイクロプロセッサのためのプログラムを制御することができるようなコンピュータ・プログラムにおいて具現化することができる。
【００１４】
図１の例では、フィルタの調整制御回路（１１２）は、調整スイッチのスイッチ構成に関連付けた負荷入力インピーダンス値（１２４）を用いて構成される。調整スイッチのスイッチ構成に関連付けた負荷入力インピーダンス値を用いて調整制御回路を構成することは、電力線フィルタの製造中に実行することができ、電力線フィルタの動作寿命の間は不変とすることができる。あるいは、調整スイッチのスイッチ構成に関連付けた負荷入力インピーダンスの構成は、電力線フィルタの寿命中に定期的に調整制御回路に入力されるデータにより更新することができ、これによって、例えばフィルタの動作寿命中に電力線フィルタの設計パラメータを変更することができる。例えば表１に示した形態で、調整スイッチのスイッチ構成に関連付けた負荷入力インピーダンス値（１２４）を用いて調整制御回路（１１２）を構成することができる。
【００１５】
【表１】
2013509067.tif 000003
【００１６】
負荷入力インピーダンス値と調整スイッチのスイッチ構成との間の関連付けを示す表の使用は、単に説明の便宜上のためであり、本発明の限定ではない。負荷入力インピーダンス値と調整スイッチのスイッチ構成との間の関連付けは、リンクさせたリスト、データ・アレイ、および当業者に想起されるような他のデータ構造によって実施することができる。表１の左側の欄のインピーダンス値すなわちＺ１、Ｚ２、Ｚ３等は、結果として得られる値および角度を有する極性の形態で、実数値および虚数成分の組み合わせとして等、当業者に想起されるように規定することができる。図２のフィルタにおいては、４つの調整スイッチ（Ｓ１、Ｓ２、Ｓ３、Ｓ４）の各々を３つの有用な状態に置くことができるので、３４＝８１の有用スイッチ構成があり、従ってプログラミング・フィルタ（１００）には８１の異なる調整がある。表１における各レコードは、負荷（１２６）の入力インピーダンス値をスイッチ構成に関連付ける。調整制御回路（１１２）は、負荷（１２６）の実際の入力インピーダンスＺｉを測定しており、スイッチ構成の関連付けられた負荷入力インピーダンス値および測定した負荷の入力インピーダンスに応じて表１からスイッチ構成を選択することによってスイッチをプログラムすることができる。すなわち調整制御回路は、表１において、負荷の入力インピーダンスＺｉの実際の測定値に対応する負荷入力インピーダンス値Ｚ１、Ｚ２、Ｚ３等を有するレコードを参照し、関連付けられたスイッチ構成を選択することができる。測定入力インピーダンスは、構成された負荷入力インピーダンス値のいずれかに厳密に等しい必要はない。調整制御回路は、負荷入力インピーダンスの測定値に最も近い構成値を選択することができる。次いで調整制御回路は、選択したスイッチ構成に従ってスイッチを設定することによって調整スイッチ（Ｓ１、Ｓ２、Ｓ３、Ｓ４）をプログラムすることができる。
【００１７】
スイッチ構成は、ここで、調整制御バス（１３４）を構成する８本の調整線の８桁の二進または論理値として表され、これはバス（１３４）の各線ごとに１桁であり、「１」は、対応する調整スイッチ・トランジスタがオンであることを示し、「０」は、対応する調整スイッチ・トランジスタがオフであることを示す。このため、
・スイッチ構成１０１０１０１０は、次のように構成された調整スイッチを示す。
トランジスタＴ１がオン、トランジスタＴ２がオフであり、
トランジスタＴ３がオン、トランジスタＴ４がオフであり、
トランジスタＴ５がオン、トランジスタＴ６がオフであり、
トランジスタＴ７がオン、トランジスタＴ８がオフである。
・スイッチ構成０１１０１０１０は、次のように構成された調整スイッチを示す。
トランジスタＴ１がオフ、トランジスタＴ２がオンであり、
トランジスタＴ３がオン、トランジスタＴ４がオフであり、
トランジスタＴ５がオン、トランジスタＴ６がオフであり、
トランジスタＴ７がオン、トランジスタＴ８がオフである。
・スイッチ構成１１１０１０１０は、次のように構成された調整スイッチを示す。
トランジスタＴ１がオン、トランジスタＴ２がオンであり、
トランジスタＴ３がオン、トランジスタＴ４がオフであり、
トランジスタＴ５がオン、トランジスタＴ６がオフであり、
トランジスタＴ７がオン、トランジスタＴ８がオフである。
・スイッチ構成１０１０１０１０は、次のように構成された調整スイッチを示す。
トランジスタＴ１がオン、トランジスタＴ２がオフであり、
トランジスタＴ３がオン、トランジスタＴ４がオフであり、
トランジスタＴ５がオン、トランジスタＴ６がオフであり、
トランジスタＴ７がオン、トランジスタＴ８がオフである。
・スイッチ構成１００１１０１０は、次のように構成された調整スイッチを示す。
トランジスタＴ１がオン、トランジスタＴ２がオフであり、
トランジスタＴ３がオフ、トランジスタＴ４がオンであり、
トランジスタＴ５がオン、トランジスタＴ６がオフであり、
トランジスタＴ７がオン、トランジスタＴ８がオフである。
・スイッチ構成１０１１１０１０は、次のように構成された調整スイッチを示す。
トランジスタＴ１がオン、トランジスタＴ２がオフであり、
トランジスタＴ３がオン、トランジスタＴ４がオンであり、
トランジスタＴ５がオン、トランジスタＴ６がオフであり、
トランジスタＴ７がオン、トランジスタＴ８がオフである。
・スイッチ構成１１１１１１１１は、次のように構成された調整スイッチを示す。
トランジスタＴ１がオン、トランジスタＴ２がオンであり、
トランジスタＴ３がオン、トランジスタＴ４がオンであり、
トランジスタＴ５がオン、トランジスタＴ６がオンであり、
トランジスタＴ７がオン、トランジスタＴ８がオンである。
【００１８】
図１のプログラマブル電力線フィルタ（１００）において、調整制御回路（１１２）は調整プロセッサ（１１６）を含み、これはデータ・バス（１２８）を介してパルス発生器（１１８）およびデジタル信号プロセッサ（「ＤＳＰ」）（１２０）に動作可能に結合されている。バス（１２８）は、本明細書では「データ・バス」と称され、調整制御回路のコンポーネント間で情報を搬送すると共に、調整プロセッサから他のコンポーネントへの命令を搬送する。調整プロセッサは、汎用コンピュータ・マイクロプロセッサとして、埋め込みマイクロコントローラとして等、当業者に想起されるような多くの方法で実施することができる。パルス発生器は、命令された場合に、所定のパルス特性、電圧レベル、持続時間等を有する単一の調整パルスを発するように構成された回路モジュールである。ＤＳＰはそれ自体で一種の小さいコンピュータであり、内部プログラミングによって入力電圧をサンプリングし、サンプリングした電圧の時間変化率を求め、時間変化率を用いて負荷の入力インピーダンス値を計算する。この構成により、調整制御回路（１１２）は、調整プロセッサ（１１６）の制御のもとに、負荷（１２６）の出力（１３６）をＤＳＰ（１２０）の入力（１３８）に接続することによって、負荷の入力インピーダンスを測定することができる。
【００１９】
この例では、フィルタは３つのプログラミング・スイッチ（Ｓ５、Ｓ６、Ｓ７）を含み、全ての３つのプログラミング・スイッチは同一の状態で示され、それらのスイッチ極の各々は左側の接点に操作されて、フィルタをプログラミング・モードで動作させるように効果的に構成されている。調整制御回路がフィルタをこのプログラミング・モードに置くのは、手作業による命令があったとき、フィルタが電源投入されるたびに、所定のスケジュールに従って定期的に等、当業者に想起される場合であるように構成することができる。この状態すなわちプログラミング・モードにおいて、スイッチＳ５は、活線（１０２）を負荷（１２６）から切断し、負荷をパルス発生器（１１８）の出力（１４０）に接続する。スイッチＳ６は、負荷を中性線（１０３）から切断する。そしてスイッチＳ７は、負荷の出力（１３６）を調整抵抗Ｒ１に接続する。調整プロセッサ（１１６）は、バス（１２８）を介してパルス発生器（１１８）に対し、パルス発生器から負荷（１２６）を介して調整パルス（１３０）を駆動するように命令する。また、調整プロセッサ（１１６）は、ＤＳＰ（１２０）に対し、負荷から出力される電圧値（１３２）として調整パルスをサンプリングするように命令する。ＤＳＰは、サンプリングされた電圧値（１３２）を用いて、負荷（１２６）の入力インピーダンスＺｉを導出する。
【００２０】
調整制御回路（１１２）に電力が印加されている限り、調整制御バス（１３４）の信号線上の論理または電圧値として実施された調整スイッチ構成を所定位置にラッチすることができる。しかしながら、電力がオフおよび再びオンに循環すると、調整制御回路は状態を失い、調整スイッチ（Ｓ１、Ｓ２、Ｓ３、Ｓ４）のスイッチ構成を再確立するように要求する。これを行う１つの方法は、フィルタに対する電力がオフおよびオンに循環するたびに、負荷の入力インピーダンスを再測定して調整スイッチを再プログラムするように調整制御回路（１１２）を構成することである。
【００２１】
あるいは、調整スイッチのスイッチ構成を再確立するために少なくとも１つの別の方法がある。すなわち、図１のプログラマブル電力線フィルタ（１００）において、調整制御回路（１１２）は、データ・バス（１２８）を介して調整プロセッサ（１１６）に動作可能に結合された調整メモリ（１１４）を含み、調整メモリ（１１４）の全てまたは少なくとも一部は不揮発性である。上述のように負荷の入力インピーダンスを測定した後、調整プロセッサ（１１６）は、負荷（１２６）の測定入力インピーダンス（１２２）を調整メモリ（１１４）の不揮発性部分に記憶することができる。その後、フィルタ（１００）に対する電力がオフおよび再びオンに循環されると、調整プロセッサは記憶した負荷の入力インピーダンス（１２２）を用いて調整スイッチをプログラムすることができ、負荷の入力インピーダンスの再測定は必要ない。調整プロセッサは、記憶した負荷の入力インピーダンス（１２２）を用いることによって、例えば表１と同様のデータ構造において、負荷入力インピーダンス値と調整スイッチのスイッチ構成との記憶した関連付け（１２４）における調整スイッチのスイッチ構成を参照し、選択したスイッチ構成に従って調整スイッチ・トランジスタをオンおよびオフに設定し、調整制御バス（１３４）の状態をラッチすることができる。これらの全てにおいて、フィルタに対する電力がオフおよびオンに循環するたびに負荷の実際の入力インピーダンスを再測定する必要はない。
【００２２】
図１に示した例示的な電力線フィルタ（１００）を構成する電子コンポーネントおよび他のデバイスの配置は説明のためのものであり、本発明を限定するためのものではない。本発明の様々な実施形態に従って調整することができる電力線フィルタは、当業者に想起されるような、図１に示していない追加のスイッチ、トランジスタ、ダイオード、キャパシタ、インダクタ、増幅器、制御回路、および他のデバイスを含む場合がある。本発明の様々な実施形態は、図１の例に示し説明したものに加えて、多種多様なハードウェア構成および様々な形態のソフトウェアにおいて実施可能である。
【００２３】
上述のように、図１の例におけるプログラミング・スイッチ（Ｓ５、Ｓ６、Ｓ７）は、フィルタを効果的にプログラミング・モードに構成する。従って、説明を完了するために、図２は、図１の例示的なプログラマブル電力線フィルタ（１００）の概略図であるが、そのプログラミング・スイッチ（Ｓ５、Ｓ６、Ｓ７）はフィルタを通常動作モードに構成するように設定されている。すなわち、図２の例におけるプログラマブル・スイッチ（Ｓ５、Ｓ６、Ｓ７）は、活線（１０２）および中性線（１０４）を負荷（１２６）に接続し、パルス発生器（１１８）およびＤＳＰ（１２０）を負荷から切断するように設定されている。調整制御回路（１１２）は、負荷（１２６）の入力インピーダンスＺｉを測定し、この負荷の入力インピーダンスに応じて調整スイッチ（Ｓ１、Ｓ２、Ｓ３、Ｓ４）をプログラムすることによって、すでにフィルタを調整しているので、この通常動作モードにおけるプログラマブル電力線フィルタ（１００）は、活線（１０２）および中性線（１０４）を介して負荷（１２６）に供給される電流から共通モード・ノイズおよび差動モード・ノイズを抑制する。
【００２４】
更に説明するために、図３は、本発明の実施形態に従ったプログラマブル電力線フィルタを調整する例示的な方法を示すフロー・チャートである。図３の方法に従ったプログラマブル電力線フィルタの調整は、図１に関して図示し記載したものと同様のプログラマブル電力線フィルタを用いて実行される。すなわち、活線、中性線、接地線、インダクタ、Ｘキャパシタ、Ｙキャパシタ、調整スイッチ、プログラマブル・スイッチ、および調整制御回路を有し、これらは全て図１を参照して図示し記載したものと同様に相互に対して配置されている。従って、図３の方法について、ここでは図３および図１の双方を参照して記載し、双方の図からの参照番号を用いる。
【００２５】
図３の方法は、調整スイッチのスイッチ構成に関連付けた負荷入力インピーダンス値（１２４）を用いて調整制御回路（１１２）を構成すること（２０２）を含む。調整スイッチのスイッチ構成に関連付けた負荷入力インピーダンス値（１２４）を用いて調整制御回路（１１２）を構成すること（２０２）は、表１に関して上述したように、かかる表、リンクさせたリスト、２次元アレイ、または他の同様のデータ構造を用いて、調整制御回路の不揮発性メモリ等に物理的に組み込まれた関連付けを記憶することで実行可能である。また、図３の方法は、調整制御回路によって負荷（１２６）の入力インピーダンス（１２２）を測定すること（２０４）を含む。この例ではこれは、負荷の出力からＤＳＰによってサンプリングした調整パルスおよび電圧を用いることによって達成される。また、図３の方法は、調整制御回路によって負荷の入力インピーダンス（１２２）に応じて調整スイッチ（Ｓ１、Ｓ２、Ｓ３、Ｓ４）をプログラムすること（２０６）を含む。図３の例では、調整スイッチのプログラミング（２０６）は、スイッチ構成に関連付けた負荷入力インピーダンス値（表１の左側の欄）および負荷の測定入力インピーダンス（１２２）に応じてスイッチ構成を（例えば表１の右側の欄から）選択すること（２０８）、および、選択したスイッチ構成に従って調整スイッチを設定すること（２１０）を含む。
【００２６】
更に説明するため、図４は、本発明の実施形態に従ったプログラマブル電力線フィルタを調整する更に別の例示的な方法を示すフロー・チャートである。図４の方法は、図４の方法に従ったプログラマブル電力線フィルタの調整が図１に関して図示し記載したものと同様のプログラマブル電力線フィルタを用いて実行されるという点で、図３の方法と同様である。すなわちフィルタは、活線、中性線、接地線、インダクタ、Ｘキャパシタ、Ｙキャパシタ、調整スイッチ、プログラミング・スイッチ、および調整制御回路を有し、全ては図１に関連した図示し記載したように相互に対して配置されている。従って、図３の方法について、図３および図１の双方を参照してここに記載し、双方の図からの参照番号を用いる。図４の方法は更に、図４の方法が、調整スイッチ（１２４）のスイッチ構成に関連付けた負荷入力インピーダンス値を用いて調整制御回路（１１２）を構成すること（２０２）、調整制御回路によって負荷（１２６）の入力インピーダンス（１２２）を測定すること（２０４）、および調整制御回路によって負荷の入力インピーダンス（１２２）に応じて調整スイッチ（Ｓ１、Ｓ２、Ｓ３、Ｓ４）をプログラムすること（２０６）を含む点で、図３の方法と同様である。しかしながら、図４の方法では、負荷の入力インピーダンスの測定（２０４）は、調整制御回路によって負荷に調整パルス（１２３）を駆動すること（２１２）、調整制御回路によって負荷から出力された調整パルスの電圧値をサンプリングすること（２１４）、および調整制御回路によってサンプリングした電圧値に応じて負荷の入力インピーダンスを導出すること（２１６）を含む。
【００２７】
更に説明するために、図５は、本発明の実施形態に従ってプログラマブル電力線フィルタを調整する更に別の例示的な方法を示すフロー・チャートである。図５の方法は、図５の方法に従ったプログラマブル電力線フィルタの調整が図１に関して図示し記載したものと同様のプログラマブル電力線フィルタを用いて実行されるという点で、図３の方法と同様である。すなわちフィルタは、活線、中性線、接地線、インダクタ、Ｘキャパシタ、Ｙキャパシタ、調整スイッチ、プログラミング・スイッチ、および調整制御回路を有し、全ては図１に関連した図示し記載したように相互に対して配置されている。従って、図３の方法について、図３および図１の双方を参照してここに記載し、双方の図からの参照番号を用いる。図５の方法は更に、図５の方法が、調整スイッチ（１２４）のスイッチ構成に関連付けた負荷入力インピーダンス値を用いて調整制御回路（１１２）を構成すること（２０２）、調整制御回路によって負荷（１２６）の入力インピーダンス（１２２）を測定すること（２０４）、および調整制御回路によって負荷の入力インピーダンス（１２２）に応じて調整スイッチ（Ｓ１、Ｓ２、Ｓ３、Ｓ４）をプログラムすること（２０６）を含む点で、図３の方法と同様である。しかしながら、図５の方法では、調整制御回路（１１２）は、データ・バス（１２８）を介してパルス発生器（１１８）およびＤＳＰ（１２０）に動作可能に結合された調整プロセッサ（１１６）を含む。また、図５の方法においては、負荷の入力インピーダンスの測定（２０４）は、調整制御回路によって負荷（１２６）の出力（１３６）をＤＳＰ（１２０）の入力（１３８）に接続すること（２１８）、パルス発生器（１１８）から負荷（１２６）を介して調整パルス（１２３、１３０）を駆動すること（２２０）、ＤＳＰ（１２０）によって負荷（１２６）から出力された電圧値として調整パルス（１２３、１３２）をサンプリングすること（２２２）、ＤＳＰ（１２０）によってサンプリングした電圧値に応じて負荷の入力インピーダンス（１２２）を導出すること（２２４）、およびＤＳＰ（１２０）によって負荷の入力インピーダンス（１２２）を調整プロセッサ（１１６）に供給すること（２２６）を含む。
【００２８】
更に説明するために、図６は、本発明の実施形態に従ってプログラマブル電力線フィルタを調整する更に別の例示的な方法を示すフロー・チャートである。図６の方法は、図６の方法に従ったプログラマブル電力線フィルタの調整が図１に関して図示し記載したものと同様のプログラマブル電力線フィルタを用いて実行されるという点で、図３の方法と同様である。すなわちフィルタは、活線、中性線、接地線、インダクタ、Ｘキャパシタ、Ｙキャパシタ、調整スイッチ、プログラミング・スイッチ、および調整制御回路を有し、全ては図１に関連した図示し記載したように相互に対して配置されている。従って、図３の方法について、図３および図１の双方を参照してここに記載し、双方の図からの参照番号を用いる。図６の方法は更に、図６の方法が、調整スイッチ（１２４）のスイッチ構成に関連付けた負荷入力インピーダンス値を用いて調整制御回路（１１２）を構成すること（２０２）、調整制御回路によって負荷（１２６）の入力インピーダンス（１２２）を測定すること（２０４）、および調整制御回路によって負荷の入力インピーダンス（１２２）に応じて調整スイッチ（Ｓ１、Ｓ２、Ｓ３、Ｓ４）をプログラムすること（２０６）を含む点で、図３の方法と同様である。しかしながら、図６の方法では、調整制御回路（１１２）は調整メモリ（１１４）を含み、その少なくとも一部分は不揮発性メモリであり、調整メモリ（１１４）はデータ・バス（１２８）を介して調整プロセッサ（１１６）に結合されている。また、図６の方法は、調整プロセッサ（１１６）によって、測定した負荷の入力インピーダンス（１２２）を不揮発性調整メモリ（１１４）に記憶すること（２２８）を含む。また、図６の方法においては、調整スイッチのプログラミング（２０６）は、電力線フィルタ（１００）に対する電力がオフおよびオンで循環した場合に負荷の入力インピーダンスを再測定することなく、調整プロセッサ（１１６）によって、記憶した負荷の入力インピーダンス（１２２）に応じて調整スイッチをプログラムすること（２３０）を含む。
【００２９】
上述の説明に鑑み、本発明の実施形態に従ったプログラマブル電力線フィルタを調整する利点は、プログラマブル電力線フィルタの動作特性、共振応答、特性インピーダンス、伝達関数、極性位置等を、迅速にかつ自動的に、回路要素を物理的に取り替えることなく調節することを含むことは、読者には認められよう。
【００３０】
本発明の例示的な実施形態は、プログラマブル電力線フィルタを調整するための完全に機能するコンピュータ・システムの文脈において概ね記載している。しかしながら、本発明は、自動化されたプログラマブル電力線フィルタと共に用いるためのコンピュータ読み取り可能記憶媒体上に配されたコンピュータ・プログラムにおいて具現化することができることは、当業者には認められよう。かかるコンピュータ読み取り可能記憶媒体は、磁気媒体、光媒体、又は他の適切な媒体を含む機械読み取り可能情報のためのいずれかの記憶媒体とすることができる。かかる媒体の例は、ハード・ドライブまたはディスケットにおける磁気ディスク、光ドライブのためのコンパクト・ディスク、磁気テープ、および当業者に想起されるような他のものを含む。適切なプログラミング手段を有するいずれかのコンピュータ・システムが、コンピュータ・プログラムにおいて具現化された本発明の方法のステップを実行可能であることは、当業者にはすぐに認められよう。本明細書に記載した例示的な実施形態のいくつかは、電力線フィルタにおける調整プロセッサ等のコンピュータ・ハードウェア上にインストールされ実行されるソフトウェア向けに適合されているが、それにもかかわらず、ファームウェアとしてまたはハードウェアとして実施される代替的な実施形態が本発明の範囲内に充分に該当することは、当業者には認められよう。
【図１】
2013509067.tif 000004
【図２】
2013509067.tif 000005
【図３】
2013509067.tif 000006
【図４】
2013509067.tif 000007
【図５】
2013509067.tif 000008
【図６】
2013509067.tif 000009
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
プログラマブル電力線フィルタを調整する方法であって、
前記フィルタの入力側で前記フィルタのそれぞれ対応する入力端子に接続された活線、中性線、および接地線であって、前記活線および前記中性線が前記フィルタにおけるインダクタを介して前記フィルタの出力側のそれぞれ対応する出力端子に接続されている、前記活線、前記中性線、および前記接地線と、
前記対応する入力端子と前記対応する出力端子との間で前記活線に配置された少なくとも１つのインダクタと、前記対応する入力端子と前記対応する出力端子との間で前記中性線に配置された少なくとも１つのインダクタと、前記インダクタの入力側で前記活線と前記中性線との間に第１の調整スイッチを介して選択的に接続された複数のＸキャパシタと、前記インダクタの出力側で前記活線と前記中性線との間に第２の調整スイッチを介して選択的に接続された複数のＸキャパシタと、前記インダクタの前記出力側で前記活線と接地との間に第３の調整スイッチを介して選択的に接続された複数のＹキャパシタと、前記インダクタの前記出力側で前記中性線と接地との間に第４の調整スイッチを介して選択的に接続された複数のＹキャパシタと、
前記第１ないし第４の調整スイッチに接続され、１つ以上のプログラミング・スイッチを介して選択的に負荷に接続された調整制御回路と、
を含み、前記方法が、
前記調整制御回路によって前記負荷の入力インピーダンスを測定するステップと、
前記調整制御回路によって前記負荷の前記入力インピーダンスに応じて前記第１ないし第４の調整スイッチをプログラムするステップと、
を含む、方法。
【請求項２】
前記第１ないし第４の調整スイッチのスイッチ構成に関連付けた負荷入力インピーダンス値を用いて前記調整制御回路を動作させるステップを更に含む、請求項１に記載の方法。
【請求項３】
前記第１ないし第４の調整スイッチのスイッチ構成に関連付けた負荷入力インピーダンス値を用いて前記調整制御回路を動作させるステップを更に含み、
前記第１ないし第４の調整スイッチをプログラムするステップが、
前記スイッチ構成に関連付けた負荷入力インピーダンス値および前記負荷の前記測定した入力インピーダンスに応じてスイッチ構成を選択するステップと、
前記選択したスイッチ構成に従って前記第１ないし第４の調整スイッチを設定するステップと、
を更に含む、請求項１に記載の方法。
【請求項４】
前記負荷の前記入力インピーダンスを測定するステップが、前記負荷を通る前記調整制御回路から駆動された調整パルスのサンプリングした電圧値から前記負荷の前記入力インピーダンスを導出するステップを更に含む、請求項１に記載の方法。
【請求項５】
前記負荷の前記入力インピーダンスを測定するステップが、
前記調整制御回路によって前記負荷を通る調整パルスを駆動するステップと、
前記調整制御回路によって前記負荷から出力された前記調整パルスの電圧値をサンプリングするステップと、
前記調整制御回路によって前記サンプリングした電圧値に応じて前記負荷の前記入力インピーダンスを導出するステップと、
を更に含む、請求項１に記載の方法。
【請求項６】
前記調整制御回路が、データ・バスを介してパルス発生器およびデジタル信号プロセッサ（「ＤＳＰ」）に動作可能に結合された調整プロセッサを更に含み、前記負荷の前記入力インピーダンスを測定するステップが、
前記調整プロセッサによって前記負荷の出力を前記ＤＳＰの入力に接続するステップと、
前記パルス発生器から前記負荷を通る調整パルスを駆動するステップと、
前記ＤＳＰによって前記負荷から出力された電圧値として前記調整パルスをサンプリングするステップと、
前記ＤＳＰによって前記サンプリングした電圧値に応じて前記負荷の前記入力インピーダンスを導出するステップと、
前記ＤＳＰによって前記負荷の前記入力インピーダンスを前記調整プロセッサに供給するステップと、
を更に含む、請求項１に記載の方法。
【請求項７】
前記調整制御回路が、データ・バスを介して不揮発性調整メモリに動作可能に結合された調整プロセッサを更に含み、
前記方法が、前記調整プロセッサによって前記負荷の前記測定した入力インピーダンスを前記不揮発性調整メモリに記憶するステップを更に含み、
前記第１ないし第４の調整スイッチをプログラムするステップが、前記電力線フィルタへの電力がオフおよびオンで循環された場合に前記負荷の前記入力インピーダンスを再測定することなく、前記調整プロセッサによって前記負荷の前記記憶した入力インピーダンスに応じて前記第１ないし第４の調整スイッチをプログラムするステップを更に含む、請求項１に記載の方法。
【請求項８】
プログラマブル電力線フィルタであって、
前記フィルタの入力側で前記フィルタのそれぞれ対応する入力端子に接続された活線、中性線、および接地線であって、前記活線および前記中性線が前記フィルタにおけるインダクタを介して前記フィルタの出力側のそれぞれ対応する出力端子に接続されている、前記活線、前記中性線、および前記接地線と、
前記対応する入力端子と前記対応する出力端子との間で前記活線に配置された少なくとも１つのインダクタと、前記対応する入力端子と前記対応する出力端子との間で前記中性線に配置された少なくとも１つのインダクタと、前記インダクタの入力側で前記活線と前記中性線との間に第１の調整スイッチを介して選択的に接続された複数のＸキャパシタと、前記インダクタの出力側で前記活線と前記中性線との間に第２の調整スイッチを介して選択的に接続された複数のＸキャパシタと、前記インダクタの前記出力側で前記活線と接地との間に第３の調整スイッチを介して選択的に接続された複数のＹキャパシタと、前記インダクタの前記出力側で前記中性線と接地との間に第４の調整スイッチを介して選択的に接続された複数のＹキャパシタと、
前記第１ないし第４の調整スイッチに接続され、１つ以上のプログラミング・スイッチを介して選択的に負荷に接続された調整制御回路であって、前記負荷の入力インピーダンスを測定すると共に前記負荷の前記入力インピーダンスに応じて前記第１ないし第４の調整スイッチをプログラムすることによって前記フィルタを調整するように構成された、前記調整制御回路と、
を含む、フィルタ。
【請求項９】
前記第１ないし第４の調整スイッチのスイッチ構成に関連付けた負荷入力インピーダンス値を用いて動作する前記調整制御回路を更に含む、請求項８に記載のフィルタ。
【請求項１０】
前記調整制御回路が、前記第１ないし第４の調整スイッチのスイッチ構成に関連付けた負荷入力インピーダンス値を用いて動作し、前記第１ないし第４の調整スイッチをプログラムすることが、
前記スイッチ構成に関連付けた負荷入力インピーダンス値および前記負荷の前記測定した入力インピーダンスに応じてスイッチ構成を選択することと、
前記選択したスイッチ構成に従って前記第１ないし第４の調整スイッチを設定することと、
を更に含む、請求項８に記載のフィルタ。
【請求項１１】
前記負荷の前記入力インピーダンスを測定することが、前記負荷を通る前記調整制御回路から駆動された調整パルスのサンプリングした電圧値から前記負荷の前記入力インピーダンスを導出することを更に含む、請求項８に記載のフィルタ。
【請求項１２】
前記負荷の前記入力インピーダンスを測定することが、
前記調整制御回路によって前記負荷を通る調整パルスを駆動することと、
前記調整制御回路によって前記負荷から出力された前記調整パルスの電圧値をサンプリングすることと、
前記調整制御回路によって前記サンプリングした電圧値に応じて前記負荷の前記入力インピーダンスを導出することと、
を更に含む、請求項８に記載のフィルタ。
【請求項１３】
前記調整制御回路が、データ・バスを介してパルス発生器およびデジタル信号プロセッサ（「ＤＳＰ」）に動作可能に結合された調整プロセッサを更に含み、前記負荷の前記入力インピーダンスを測定することが、
前記調整プロセッサによって前記負荷の出力を前記ＤＳＰの入力に接続することと、
前記パルス発生器から前記負荷を通る調整パルスを駆動することと、
前記ＤＳＰによって前記負荷から出力された電圧値として前記調整パルスをサンプリングすることと、
前記ＤＳＰによって前記サンプリングした電圧値に応じて前記負荷の前記入力インピーダンスを導出することと、
前記ＤＳＰによって前記負荷の前記入力インピーダンスを前記調整プロセッサに供給することと、
を更に含む、請求項８に記載のフィルタ。
【請求項１４】
前記調整制御回路が、データ・バスを介して不揮発性調整メモリに動作可能に結合された調整プロセッサを更に含み、
前記調整制御回路が、前記調整プロセッサによって前記負荷の前記測定した入力インピーダンスを前記不揮発性調整メモリに記憶するように更に構成され、
前記第１ないし第４の調整スイッチをプログラムすることが、前記電力線フィルタへの電力がオフおよびオンで循環された場合に前記負荷の前記入力インピーダンスを再測定することなく、前記調整プロセッサによって前記負荷の前記記憶した入力インピーダンスに応じて前記第１ないし第４の調整スイッチをプログラムすることを更に含む、請求項８に記載のフィルタ。
【請求項１５】
プログラマブル電力線フィルタを調整するためのコンピュータ・プログラムであって、コンピュータ読み取り可能記憶媒体に配置され、実行された場合に請求項１から７のいずれかの全てのステップを実行することができるコンピュータ・プログラム命令を含む、コンピュータ・プログラム。
【国際調査報告】
2013509067.tif 000010
2013509067.tif 000011
2013509067.tif 000012